(57)【要約】【課題】  クリーンな状態で保管ができ、しかも、安価な鑑識補助シートを提供することである。【解決手段】  一枚のシート本体１を、その幅方向の中心よりもずらした位置に形成した折り線２を境に二つ折りにしたとき、一方のシート片１ａとこの一方のシート片１ａよりも幅を広くした他方のシート片１ｂとが形成される。そして、これら両シート片１ａ，１ｂを重ね合わせて密着したとき、一方のシート片１ａとの重なり部分から露出する他方のシート片１ｂの露出部１ｃに、長手方向に連続する目盛３を印刷している。【選択図】  図２
2014144573.tif 000002
【特許請求の範囲】
【請求項１】
一枚のシート本体を、その幅方向の中心よりもずらした位置に形成した折り線を境に二つ折りにしたとき、一方のシート片とこの一方のシート片よりも幅を広くした他方のシート片とが形成されるとともに、これら両シート片を重ね合わせて密着したとき、一方のシート片との重なり部分から露出する他方のシート片の露出部に、長手方向に連続する目盛を印刷した鑑識補助シート。
【請求項２】
上記シート本体を樹脂製にするとともに、その長手方向において所定の間隔を保って切り取線を入れた請求項１に記載された鑑識補助シート。
【請求項３】
目盛を印刷した上記露出部の面を内側にし、上記シート本体を二つ折りにしてロール状に巻いた請求項１又は２に記載された鑑識補助シート。
【発明の詳細な説明】
【技術分野】
【０００１】
この発明は、犯罪捜査の証拠品などの鑑定対象物を載せるための犯罪捜査用の鑑識補助シートに関する。
【背景技術】
【０００２】
現在の犯罪捜査では、科学捜査としてＤＮＡ鑑定が頻繁に行われるようになっている。
そして、ＤＮＡ鑑定は、鑑定対象物にわずかな異物が混入していたり、犯罪と関係ない人の指紋が事後的に付着したりすると、正確な鑑定ができなくなる。そこで、鑑定の精度を上げるために、指紋や異物の付着によるコンタミネーションには細心の注意がはらわれる。
【０００３】
上記コンタミネーションを防止するために、従来から、鑑定対象物を、テーブルなどの上に直接載せるのではなく、コンタミネーション防止に配慮した布シートをテーブルなどの上に置き、その布シートの上に鑑定対象物を載せるようにしていた。
なお、従来技術としての先行技術文献の調査をしていない。
【発明の概要】
【発明が解決しようとする課題】
【０００４】
上記のように鑑定対象物をコンタミネーション防止に配慮したシートの上に置くようにしていたが、従来の布シートは、洗浄（洗濯）して常にクリーンな状態に保っているが、洗浄したり、それをクリーンな状態で保管したりするのに手間がかかるとともに、価格が高いという問題があった。
この発明の目的は、クリーンな状態で保管ができ、しかも、安価な鑑識補助シートを提供することである。
【課題を解決するための手段】
【０００５】
第１の発明は、一枚のシート本体を、その幅方向の中心よりもずらした位置に形成した折り線を境に二つ折りにして、一方のシート片とこの一方のシート片よりも幅を広くした他方のシート片とを形成している。そして、これら両シート片を重ね合わせて密着させたとき、一方のシート片との重なり部分から露出する他方のシート片の露出部に長手方向に連続する目盛を印刷している。
【０００６】
第２の発明は、上記シート本体を樹脂製にするとともに、その長手方向において所定の間隔を保ってミシン目などの切り取線を入れたものである。
なお、上記切り取線は、必ずしもミシン目に限定されるものではない。要するに、二つ折りにしたシート本体を、ハサミなどの道具を使わずにカットできる切り取線であれば、どのような形態でもよい。
第３の発明は、目盛を印刷した上記露出部の面を内側にして、上記シート本体をロール状に巻いたものである。
【発明の効果】
【０００７】
第１の発明によれば、シート本体を二つ折りにしているので、製造過程において十分な配慮がされている限り、シート本体を展開するまで、完全にコンタミネーションを防止できる。しかも、シート本体を二つ折りにしたまま保管できるので、保管時にシート本体をクリーンな状態に保つことができる。
したがって、シート本体に鑑定対象物を載せたり包んだりしても、鑑定対象物に対するコンタミネーションを防止でき、ＤＮＡ鑑定に影響を及ぼしたりしない。
【０００８】
また、展開したシート本体に鑑定対象物を載せた状態で写真撮影するときには、上記他方のシート片の露出部に印刷した目盛も同時に撮影して、写真上での鑑定対象物の大きさを判定できるようにする。
したがって、鑑定対象物が縦長のときには、鑑定作業をする者から見て、目盛を縦にした状態でシート本体をテーブル上に展開した方が、写真を撮ったときに、目盛と鑑定対象物との対応が分かりやすくなる。反対に、鑑定対象物が横長のときには、目盛を横にした状態でシート本体をテーブル上に展開した方が、目盛と鑑定対象物との対応が分かりやすくなる。
【０００９】
そして、シート本体の他方のシート片の露出部に印刷した目盛は、シート本体を二つ折りにした状態でも目視できるので、鑑定対象物が縦長であるか横長であるかがあらかじめ分かっていれば、上記目盛を基準にして、テーブルに対するシート本体の展開位置を決めることができる。
このように目盛を基準にしてシート本体の展開位置が決められるので、シート本体を展開した後に、それを回して、目盛の位置を鑑定対象物に対応させるような調整が不要になる。
【００１０】
また、鑑定作業時には、犯罪者とは関係ない人の指紋や体毛等の異物が付着しないように万全を期しているが、シート本体をいろいろ動かしている過程で、それらが付着する可能性も無きにしも非ずである。しかし、この発明では、テーブル上でシート本体を何回も動かさなくてもよいので、そのような心配もほとんどなくなる。
さらに、シート本体を二つ折りにした状態で、他方のシート片の露出部を一方のシート片から露出させて、一方のシート片の端を摘まみやすくしているので、両シート片をはがしやすくなる。特に、鑑定作業をする者は、手袋をして自身の指紋などが付着しないように細心の注意を払うが、この発明によれば、手袋をした状態でも、それら両シートをはがすことができる。
【００１１】
また、シート本体を二つ折りにしたときに露出する他方のシート片の露出部に目盛を印刷したので、シート本体を二つ折りにしたまま、その露出部に印刷を施すことができる。このようにシート本体を二つ折りにしたまま目盛の印刷を施すことができるので、印刷時に両シート片の重ね合わせ面に異物が混入したりしない。
しかも、目盛を印刷した部分をはっきり目視できるので、鑑定対象物を載せたり、包んだりするときにも、露出部分を意識的に回避することができる。したがって、印刷を施すときにたとえ異物が付着したとしても、それが鑑定に影響を及ぼすことはない。
【００１２】
第２の発明によれば、所定の間隔ごとに切り取線を入れているので、シート本体をカットするときに、ハサミなどの特別な道具を必要としない。特別な道具を必要としないので、例えば、それら道具に付着した異物が、シート本体に付着する危険もなくなる。
しかも、上記切り取線は、シート本体の長手方向に所定の間隔を保って形成されているので、切り取線から切り取った単位当たりのシート本体の大きさを一定に保つことができる。
さらに、シート本体を樹脂製にしたので、それを簡単に洗浄することもできるし、それを使い捨てにもできる。
【００１３】
第３の発明によれば、目盛を印刷した上記露出部の面を内側にし、シート本体を二つ折りにしてロール状に巻いているので、ロール状にしたシート本体の搬送過程で、両シート片の密着面及び露出部のそれぞれに異物が付着したりしない。
【図面の簡単な説明】
【００１４】
【図１】図１はシート本体を展開した状態の平面図である。
【図２】図２はシート本体を二つ折りにした状態の斜視図である。
【発明を実施するための形態】
【００１５】
図示の実施形態は、ポリエチレンなどの樹脂製シートからなるシート本体１に、その長手方向に沿って折り線２を形成するとともに、この折り線２を境に一対のシート片１ａ，１ｂを区画している。
そして、折り線２に直交する方向の一方のシート片１ａの幅寸法に対して、折り線２に直交する方向の他方のシート片１ｂの幅寸法を大きくしている。したがって、両シート片１ａ，１ｂを折り線２から折り返し、それらシート片１ａ，１ｂを密着させると、図２に示すように、他方のシート片１ｂの縁の部分が露出するが、この部分を露出部１ｃとしている。
【００１６】
上記露出部１ｃには、その長手方向に連続する目盛３を印刷しているが、目盛３を印刷するときには、両シート片１ａ，１ｂを密着させるとともに、それらを密着したシート本体１を長手方向に送りながら、上記露出部１ｃに目盛３を連続的に印刷するようにしている。このようにして印刷された目盛３は、その一目盛を１ｃｍとするとともに、１ｃｍ単位、５ｃｍ単位、１０ｃｍ単位を示すそれぞれの目盛線を、互いに見分けられるように表示形態を別々にしている。
【００１７】
上記のように両シート片１ａ，１ｂを互いに密着させた状態を保って、露出部１ｃに目盛３を連続的に印刷しているので、印刷時には両シート片１ａ，１ｂの密着面が露出しない。したがって、印刷時に発生する異物等が、両シート片１ａ，１ｂの密着面に付着したりしない。
また、目盛３を印刷した部分をはっきり目視できるので、展開したシート本体１に鑑定対象物を載せたり、包んだりするときにも、印刷を施した露出部１ｃの部分を意識的に回避することができる。したがって、印刷を施すときにたとえ異物が付着したとしても、それが鑑定に影響を及ぼすことはない。
【００１８】
さらに、上記シート本体１であって、その長手方向に所定の間隔を保ったミシン目からなる切り取線４を形成している。この切り取線４は、上記折り線２に対して直交する方向においてシート本体１を横断させている。
なお、上記切り取線４は、必ずしもミシン目でなくてもよい。例えば、一定長さの切りこみを所定の間隔を保って連続させてもよいし、一定形状の孔を連続させてもよい。要するに、ハサミなどの切断具を使用しなくても、上記切り取線４からシート本体１をカットできれば、切り取線４の形態は問わない。
【００１９】
切り取線４からカットされたシート本体１は、それらシート片１ａ，１ｂをはがして展開したとき、図１に示す所定の面積を有する単位シート本体１を構成にするようにしている。したがって、切り取線４から切り取った単位当たりのシート本体１の大きさを一定に保つことができる。
上記目盛３を印刷されたシート本体１は、目盛３側を内側にしてロール状にまかれるが、ロール状に巻かれた状態は図示していない。
【００２０】
シート本体１は上記のように両シート片１ａ，１ｂを密着させた状態でロール状に巻かれるので、保管あるいは搬送中に両シート片１ａ，１ｂがはがれたりしない。したがって、密着したシート片１ａ，１ｂ間に異物等が混入しない。しかも、露出部１ｃも内側に巻かれるので、この露出部１ｃにも異物等が付着しにくくなる。
なお、シート本体１がロール状に巻かれていなくても、両シート片１ａ，１ｂが密着している限り、その間に異物が混入することはない。
【００２１】
上記シート本体１を使用するときには、シート片１ａ，１ｂを密着させたシート本体１をロールから巻き出すとともに、巻き出したシート本体１を切り取線４から切り取る。
シート本体１をロールから巻き出したときには、両シート片１ａ，１ｂが密着しているので、この状態で切り取線４から切り取っても、切り取り時の異物が密着した両シート片１ａ，１ｂ間に混入することはない。
【００２２】
そして、鑑定対象物が縦長か、あるいは横長かによって、図示していないテーブル上における目盛３の位置及び方向を特定する。このように目盛３のテーブル上の位置及び方向が特定できたら、露出部１ｃを一方の手で押さえるとともに、他方の手で一方のシート片１ａの端を摘まんで展開する。
このとき、露出部１ｃを設けているので、一方の手で露出部１ｃを押えながら、一方のシート片１ａの端を摘まむことができるが、この摘まみやすさは、鑑定作業をする者が手袋をはめているときに威力を発揮する。
【００２３】
つまり、鑑定作業をする者は、手袋をして自身の指紋などが付着しないように細心の注意を払うが、手袋をすると指先の感覚が鈍くなるので、もし、両シート片１ａ，１ｂが同じ大きさで密着していると、それらをはがすことが難しくなる。しかし、この実施形態では露出部１ｃを設けたので、たとえ手袋をしていても、一方の手で露出部１ｃを押さえ、他方の手で一方のシート片１ａをずらすようにして横滑りさせれば、シート片１ａの端を簡単につまむことができる。
【００２４】
また、図１に示すように展開したシート本体１に鑑定対象物を載せるとともに、それを写真撮影するときに、上記目盛３も同時に撮影すれば、写真上での鑑定対象物の大きさを判定できる。
そして、鑑定対象物が縦長のときには、鑑定作業をする者から見て、目盛３を縦にした状態でシート本体１をテーブル上に展開した方が、写真を撮ったときに、目盛と鑑定対象物との対応が分かりやすくなる。反対に、鑑定対象物が横長のときには、目盛３を横にした状態でシート本体１をテーブル上に展開した方が、目盛３と鑑定対象物との対応が分かりやすくなる。
【００２５】
しかも、シート本体１の他方のシート片１ｂにおける露出部１ｃに印刷した目盛３は、シート本体１を二つ折りにした状態でも目視できるので、鑑定対象物が縦長であるか横長であるかがあらかじめ分かっていれば、上記目盛３を基準にして、テーブルに対するシート本体１の展開位置を決めることができる。
【００２６】
このように目盛を基準にしてシート本体１の展開位置が決められるので、シート本体１を展開した後に、それを回して、目盛３の位置を鑑定対象物に対応させるような調整が不要になる。したがって、展開したシート本体１を位置調整のために何回も動かさなくてもよくなる。
【００２７】
さらに、シート本体１を樹脂製にしたので、洗浄が簡単であるとともに、それを使い捨てにもできる。
なお、この発明における鑑識補助シートには、ＤＮＡ鑑定以外の科学捜査対象物を載せてもよいことは当然である。
【産業上の利用可能性】
【００２８】
ＤＮＡ鑑定の際の鑑定対象物を載せるのに最適である。
【符号の説明】
【００２９】
１      シート本体
１ａ    一方のシート片
１ｂ    他方のシート片
１ｃ    露出部
２      折り線
３      目盛
４      切り取線
【図１】
2014144573.tif 000003
【図２】
2014144573.tif 000004